(57)【要約】      （修正有）【課題】イヤホンを好適に格納できるようにした携帯端末機用カバーケースを提供する。【解決手段】携帯端末機の少なくとも周面一部と背面一部を覆うケース本体２の背面にイヤホン格納手段３を設けている。イヤホン格納手段３は、ケース本体２の背面方向に突出するコード巻取り部１１と、該コード巻取り部の先端周縁に形成されたヒンジ部を介して前記背面方向に次第に径を広げながら延びる朝顔状の反転カバー部１３を備え、反転カバー部１３及びヒンジ部は、弾性材により形成されている。反転カバー部１３は、前記背面方向に向かう待機姿勢とされた状態で弾性保持され、反転したとき、コード巻取り部１１を覆う機能姿勢とされた状態で弾性保持される。【選択図】図３
0003175864.tif 000002
【実用新案登録請求の範囲】
【請求項１】
携帯端末機の少なくとも周面一部と背面一部を覆うケース本体(2)の背面にイヤホン格納手段(3)を設けており、
前記イヤホン格納手段(3)は、ケース本体(2)の背面方向に突出するコード巻取り部(11)と、該コード巻取り部の先端周縁に形成されたヒンジ部(12)を介して前記背面方向に次第に径を広げながら延びる朝顔状の反転カバー部(13)を備えており、
前記反転カバー部(13)及びヒンジ部(12)は、弾性材により形成されており、反転カバー部を前記背面方向に向かう待機姿勢とされた状態で弾性保持すると共に、反転カバー部を反転したとき、前記コード巻取り部を覆う機能姿勢とされた状態で弾性保持するように構成されて成ることを特徴とする携帯端末機用カバーケース。
【請求項２】
前記反転カバー部(13)の周縁にイヤホン(21)のコード(23)を挿通可能とするスリット(20)を切欠き形成して成ることを特徴とする請求項１に記載の携帯端末機用カバーケース。
【請求項３】
前記コード巻取り部(11)は、前記反転カバー部及びヒンジ部と共に弾性材により一体成形され、該コード巻取り部(11)の内側に設けた弾性薄壁(14)に一対の嵌入開口(18)を開設し、該嵌入開口(18)にイヤホンのスピーカー部(25)を嵌脱自在に嵌入保持するように構成して成ることを特徴とする請求項１又は２に記載の携帯端末機用カバーケース。
【請求項４】
前記コード巻取り部(11)は、前記反転カバー部及びヒンジ部と共に弾性材により一体成形され、該コード巻取り部(11)の内側に設けた弾性畝部(16)に嵌着溝(17)を形成し、該嵌着溝(17)にイヤホンのコード端末部に設けられたプラグ(22)を嵌脱自在に嵌着するように構成して成ることを特徴とする請求項１、２又は３に記載の携帯端末機用カバーケース。
【考案の詳細な説明】
【技術分野】
【０００１】
本考案は、スマートフォンと称される携帯端末機を保護するカバーケースに関し、特にイヤホンを好適に格納できるようにした携帯端末機用カバーケースに関する。
【背景技術】
【０００２】
従来、スマートフォンやタブレットと称される携帯端末機を保護するためのカバーケースが提供されている。
【先行技術文献】
【特許文献】
【０００３】
【特許文献１】登録実用新案第３１６８０９０号公報
【特許文献２】登録実用新案第３１７０６６０号公報
【考案の概要】
【考案が解決しようとする課題】
【０００４】
このような携帯端末機用カバーケースは、携帯端末機の周面と背面を覆う合成樹脂製のケース本体を備えている。ケース本体の正面には、携帯端末機のディスプレイパネルを露出させる額縁部が設けられ、携帯端末機を常時使用可能とした状態で周面及び背面を異物の衝突等による損傷から保護する。
【０００５】
ところで、スマートフォンやタブレット等の携帯端末機は、イヤホンを使用するためのコネクタソケットを付設しており、前記カバーケースに形成された挿通孔からイヤホンのコネクタプラグを差し込むことにより、種々の音声を聴くことができる。
【０００６】
しかしながら、イヤホンの不使用時には、前記コネクタプラグを携帯端末機から抜き取った状態で、長いコードを有するイヤホンを上着のポケットや、別途準備した袋等に収納する必要があるため、イヤホンと携帯端末機の同時携帯が不便であり、しかも、イヤホンが紛失する等、必要なときに直ちにイヤホンを使用できないという問題がある。
【課題を解決するための手段】
【０００７】
本考案は、上述のようなカバーケースが多用されている現状に鑑み、イヤホンを格納可能としたカバーケースを提供することにより、上記の問題を解決するものである。
【０００８】
そこで、本考案が手段として構成したところは、携帯端末機の少なくとも周面一部と背面一部を覆うケース本体の背面にイヤホン格納手段を設けており、前記イヤホン格納手段は、ケース本体の背面方向に突出するコード巻取り部と、該コード巻取り部の先端周縁に形成されたヒンジ部を介して前記背面方向に次第に径を広げながら延びる朝顔状の反転カバー部を備えており、前記反転カバー部及びヒンジ部は、弾性材により形成されており、反転カバー部を前記背面方向に向かう待機姿勢とされた状態で弾性保持すると共に、反転カバー部を反転したとき、前記コード巻取り部を覆う機能姿勢とされた状態で弾性保持するように構成されて成る点にある。
【０００９】
前記反転カバー部は、周縁にイヤホンのコードを挿通可能とするスリットを切欠き形成することが好ましい。
【００１０】
本考案の好ましい実施形態において、前記コード巻取り部は、前記反転カバー部及びヒンジ部と共に弾性材により一体成形されている。そこで、前記コード巻取り部の内側に設けた弾性薄壁に一対の嵌入開口を開設し、該嵌入開口にイヤホンのスピーカー部を嵌脱自在に嵌入保持するように構成することができる。また、前記コード巻取り部の内側に設けた弾性畝部に嵌着溝を形成し、該嵌着溝にイヤホンのコード端末部に設けられたプラグを嵌脱自在に嵌着するように構成することができる。
【考案の効果】
【００１１】
請求項１に記載の本考案によれば、携帯端末機用カバーケース１におけるケース本体２の背面にイヤホン格納手段３を設けているので、不使用時のイヤホン２１を好適に格納することができ、携帯端末機とイヤホン２１を同時携帯する際に便利である。
【００１２】
特に、イヤホン格納手段３は、ケース本体２の背面方向に突出するコード巻取り部１１と、該コード巻取り部１１の先端周縁に形成されたヒンジ部１２を介して前記背面方向に次第に径を広げながら延びる朝顔状の反転カバー部１３を備え、反転カバー部１３とヒンジ部１２を弾性材により形成しているので、反転カバー部１３を前記背面方向に向かう待機姿勢にて弾性保持した状態で、コード巻取り部１１にイヤホンのコード２３を簡単容易に巻付けることができ、しかも、巻付け後は、反転カバー部１３を反転し、前記コード巻取り部１１を覆う機能姿勢にて弾性保持することにより、巻回されたコード２３を外部から視認させないように好適に格納することができる。
【００１３】
請求項２に記載の本考案によれば、コード巻取り部１１に巻付けたコード２３の両端近傍部を反転カバー部１３のスリット２０から導出させることができ、この際、請求項３に記載の本考案によれば、イヤホン２１のスピーカー部２５を弾性薄壁１４に形成された嵌入開口１８に嵌脱自在に嵌着保持することができ、しかも、請求項４に記載の本考案によれば、イヤホン２１のコード端末部のプラグ２２を弾性畝部１６に形成された嵌着溝１７に嵌脱自在に嵌入保持することができるという効果がある。
【図面の簡単な説明】
【００１４】
【図１】本考案の１実施形態に係るカバーケースの正面側を示す斜視図である。
【図２】本考案の１実施形態に係るカバーケースの背面側を示す斜視図である。
【図３】背面側に設けたイヤホン格納手段を一部切欠断面にて示す斜視図である。
【図４】図２のＡ−Ａ線断面を示しており、（Ａ）は反転カバー部を展開した状態の縦断面図、（Ｂ）は反転カバー部を反転した状態の縦断面図である。
【図５】図２のＢ−Ｂ線断面を示しており、（Ａ）は反転カバー部を展開した状態の横断面図、（Ｂ）は反転カバー部を反転した状態の横断面図である。
【考案を実施するための形態】
【００１５】
以下図面に基づいて本考案の好ましい実施形態を詳述する。
【００１６】
図１及び図２に示すように、携帯端末機用カバーケース１は、ケース本体２と、該ケース本体２の背面に設けられたイヤホン格納手段３により構成されている。ケース本体２とイヤホン格納手段３は、シリコンゴム等の軟質合成樹脂により一体成形することが好ましいが、それぞれを個別に成形し、接着又は固着しても良い。
【００１７】
ケース本体２は、図示省略した携帯端末機の少なくとも周面一部を覆う周壁４と、背面一部を覆う底壁５を備え、正面に位置して前記周壁４の内側に張り出す額縁部６を形成し、携帯端末機に装着した状態で、該携帯端末機のディスプレイパネルを前記額縁部６により縁取られた窓開口から露出させるように構成している。
【００１８】
携帯端末機の機能を妨げないようにするため、図１に示すように、前記額縁部５の下側縁部には起動用操作孔７が開設され、図２に示すように、前記操作孔７に近傍する下側の周壁４には充電プラグ挿入用孔８が開設される共に、横側の周壁４にはイヤホンのプラグ挿入用孔９が開設され、更に、図１に示すように、上側の周壁４には電源ボタン操作孔１０が開設されている。
【００１９】
イヤホン格納手段３は、図２ないし図５に示すように、ケース本体２の底壁３に直交する軸線方向に関して、矢印Ｘで示す背面方向に突設されており、底壁３から該Ｘ方向に向けて突出する断面長円形又は楕円形のコード巻取り部１１と、該コード巻取り部１１の先端周縁に形成されたヒンジ部１２を介して前記背面方向に次第に径を広げながら延びる朝顔状の反転カバー部１３を備えている。
【００２０】
図３及び図５に示すように、前記コード巻取り部１１の内側には、前記Ｘ方向の軸線に直交する弾性薄壁１４が形成され、該弾性薄壁１４と前記底壁３の間に中空部１５を形成しており、更に、弾性薄壁１４の前記Ｘ方向の外側面には、前記コード巻取り部１１が呈する断面長円形又は楕円形の長軸方向に延びる弾性畝部１６が形成されている。
【００２１】
前記弾性畝部１６には、前記Ｘ方向に開口する嵌着溝１７が形成されている。前記弾性薄壁１４には、弾性畝部１６の両側に位置して一対の嵌入開口１８が開設されており、該嵌入開口１８は、開口縁の一部に切込み１８ａを形成することが好ましい。
【００２２】
上述のように、イヤホン格納手段３は、シリコンゴム等の軟質合成樹脂から成る弾性材により一体成形されており、従って、反転カバー部１３及びヒンジ部１２は、弾性材により形成されている。このため、図４（Ａ）及び図５（Ａ）に示すように、反転カバー部１３を前記背面方向（Ｘ方向）に向かう待機姿勢とされた状態で弾性保持すると共に、図４（Ｂ）及び図５（Ｂ）に示すように、反転カバー部１３を反転したとき、前記コード巻取り部１１を覆う機能姿勢とされた状態で弾性保持するように構成されている。図示実施形態の場合、反転カバー部１３は、前記Ｘ方向に向かう待機姿勢の状態で射出成形等により成形され、常時、この姿勢を保持するが、反転カバー部１３の周壁を拡径方向に伸長させながらヒンジ部１２を支点として前記Ｘ方向の反対方向に反転させることが可能であり、反転後は周壁を弾性復元することにより前記機能姿勢を保持する。逆に、機能姿勢から待機姿勢への反転及び弾性保持も可能である。
【００２３】
反転カバー部１３は、ヒンジ部１２からＸ方向に向けて次第に縮径した後、朝顔状の開口縁に向けて次第に拡径するように、断面円弧状に形成された円弧狭窄部１３ａを備えていることが好ましく、これにより反転カバー部１３を反転して機能姿勢としたとき、前記円弧狭窄部１３ａが椀状を呈し、コード巻取り部１１の外周に収納室１９が形成される。
【００２４】
前記弾性畝部１６の延長線上に位置して、反転カバー部１３の朝顔状の開口縁には、一対のスリット２０が切欠き形成されている。
【００２５】
（作用）
上記構成のイヤホン格納手段３は、図３に例示するようなイヤホン２１を好適に格納することができる。尚、イヤホン２１は、市販のものと同様であり、コード２３の末端部にプラグ２２を設けると共に、コード２３の延長部における２本の分岐コード２４にそれぞれスピーカー部２５を設けている。
【００２６】
図４（Ａ）及び図５（Ａ）に示すように、反転カバー部１３をＸ方向に向かう待機姿勢とした状態で、コード巻取り部１１にイヤホン２１のコード２３を巻付けることができる。巻付けが終わり、図４（Ｂ）及び図５（Ｂ）に示すように、反転カバー部１３を待機姿勢とするように反転すると、前記コード２３を巻付けたコード巻取り部１１の外周が反転カバー部１３により覆われ、巻回されたコード２３を円弧狭窄部１３ａにより形成された収納室１９の内部に収納する。
【００２７】
コード巻取り部１１に巻付けられたコード２３の両端近傍部は、反転カバー部１３のスリット２０、２０を介して前記収納室１９から導出される。図５（Ｂ）に示すように、導出されたコード２３の両端近傍部のうち、一方に設けられたプラグ２２は、弾性畝部１６の嵌着溝１７に嵌脱自在に嵌着保持することができ、他方に設けられたスピーカー部２５、２５は、それぞれ弾性薄壁１４の嵌入開口１８、１８に嵌脱自在に嵌着保持される。嵌着溝１７及び嵌入開口１８は、シリコンゴム等の弾性材から成る弾性畝部１６及び弾性薄壁１４により形成されているので、着脱が容易である。
【００２８】
この際、図３に示すように、嵌着溝１７は、プラグ２２の軸部２２ａとピン部２２ｂに対応する保持溝１７ａと挿入溝１７ｂにより構成することが好ましい。
【００２９】
嵌入開口１８は、上述のように切込み１８ａを形成しているので、イヤホン２１のスピーカー部２５が軟らかい素材により形成されている場合でも、弾性薄壁１４の弾性変形を容易とし、嵌入開口１８の柔軟な拡縮を可能とする。
【符号の説明】
【００３０】
１  携帯端末機用カバーケース
２  ケース本体
３  イヤホン格納手段
４  周壁
５  底壁
６  額縁部
７  起動操作孔
８  充電プラグ挿入用孔
９  イヤホンのプラグ挿入用孔
１０  電源ボタン操作孔
１１  コード巻取り部
１２  ヒンジ部
１３  反転カバー部
１３ａ  円弧狭窄部
１４  弾性薄壁
１５  中空部
１６  弾性畝部
１７  嵌着溝
１７ａ  保持溝
１７ｂ  挿入溝
１８  嵌入開口
１８ａ  切込み
１９  収納室
２０  スリット
２１  イヤホン
２２  プラグ
２２ａ  軸部
２２ｂ  ピン部
２３  コード
２４  分岐コード
２５  スピーカー部
【図１】
0003175864.tif 000003
【図２】
0003175864.tif 000004
【図３】
0003175864.tif 000005
【図４】
0003175864.tif 000006
【図５】
0003175864.tif 000007